(57)【要約】      （修正有）【課題】透視窓の荷役作業時に発生する脱落や吸盤の吸着痕跡を防止できる視界窓取付用構枠を提供する。【解決手段】堤防又は防潮壁の開口Ｗに透視窓Ａを架設する透視窓架設用構枠１を、上方から垂下されるクレーン用ワイヤＢに懸吊される構枠体２、３及び４と、この構枠体１に透視窓Ａを着脱可能に平行に保持する受座面と、透視窓枠Ａ５に設けられた高ナットＡ１と螺合する構枠体固定ボルト１０とから構成する。【選択図】図１
0003212195.tif 000002
【実用新案登録請求の範囲】
【請求項１】
堤防又は防潮壁の開口に透視窓を架設する透視窓架設用構枠であって、上方から垂下されるクレーン用ワイヤに懸吊される構枠体と、この構枠体に透視窓を着脱可能に平行に保持する受座面と、透視窓枠体に設けられた高ナットと螺合する構枠体固定ボルトとからなることを特徴とする透視窓架設用構枠。
【請求項２】
保持した透視窓の左右の位置ずれを矯正する係止爪を有するずれ止め金具を備えることを特徴とする請求項１記載の透視窓架設用構枠。
【考案の詳細な説明】
【技術分野】
【０００１】  本考案は、土木分野において河川・海岸等に構築された堤防あるいは防潮壁に設けた開口に透視窓を取り付けるための透視窓用取付構枠に関するものである。
【背景技術】
【０００２】  近年、地震による津波、高潮又は降雨による河川氾濫等の大災害に対応可能な大型の堤防や防潮壁等のインフラ整備が実施される中で、大規模な構造物は地域住民に疎外感や閉塞感を与えるという理由から堤防や防潮堤に、例えば海側の景観を眺望できる透視窓が数多く取り付けられるようになった。
透視窓を取り付けに際しては、予め透明なガラス板やアクリル板を嵌め込んだ窓枠をクレーン等で吊り上げて、堤防や防潮壁の開口の高さに配置された作業者が手作業で移動させながら装着施工する。この透視窓の吊り下げには吸盤方式が主に用いられている。【０００３】  上記吸盤方式として、例えば、吸着パッドを嵌装したロボットハンドを、演算した結果に基づいてロボットのコントローラによって、矩形状のガラス板を背板に密着するように積層させるもの（特許文献１参照。）。
吸着パッドの吸着面に凹凸を設け、吸着パッドの吸着面の外周側と内周側の大径パッドと小径パッドを同心円状に設け、一方のパッドの吸着部の材質を独立気泡含有スポンジゴム製とし、他方の吸着部を蛇腹式として板状のワークを確実に吸着するようにしたもの（特許文献２参照。）。【０００４】  また、建物等のガラス板へ吸着する複数の吸着パッド、ガラス板とほぼ平行に回転するアームが設置され、その先端部に支持されたガイドレールに沿って移動自在な走行ブロックにガラス切断用のディスクカッターが設置され、吸着パッドの支持体をガラス切断作業の位置移動及び切断したガラスの運搬が可能な支持手段を備えたもの（特許文献３参照。）。クレーンに垂下支持される剛性枠体９に吸盤を有する自動吸盤機を設け、この吸盤２１とガラス吊下げ用ワイヤ等とにより連窓ガラスを保持し、この状態で取付階までクレーンで運び、室内側に連窓ガラスを呼び込んで所定の取付位置に装着するサッシュ取付装置（特許文献４参照。）等、種々提案されている。
【先行技術文献】
【特許文献】
【０００５】
【特許文献１】特開２００７−０００９４０号公報
【特許文献２】特開２００４−０３４１９５号公報
【特許文献３】特開２００７−２５０５号公報
【特許文献４】登録実用新案第３０１８８７４号公報
【考案の概要】
【考案が解決しようとする課題】
【０００６】  しかしながら、上記従来技術のような吸盤によるバキューム方式では、透明な窓材であるアクリル板表面には離型紙等による表面保護養生材が貼り付けられていているために、吸盤を吸着させて窓枠の荷役作業を行うと、窓枠の重量で脱落する危険がある。また、離型紙を剥ぎ取り吸盤を吸着させた場合、アクリル板の表面に除去できない程の吸盤の痕跡が残るおそれがある。
本考案は、このような従来技術の課題に鑑み、透視窓の荷役作業時に発生する脱落や吸盤の吸着痕跡を防止できる視界窓取付用構枠を提供することを目的とする。
【課題を解決するための手段】
【０００７】  上記の目的を達成するために、本考案の視界窓取付用構枠は、堤防又は防潮壁の開口に透視窓を架設する透視窓架設用構枠であって、上方から垂下されるクレーン用ワイヤに懸吊される構枠体と、この構枠体に透視窓を着脱可能に平行に保持する受座面と、透視窓枠体に設けられた高ナットと螺合する構枠体固定具とからなることを第１の特徴とする。また、保持した透視窓の左右の位置ずれを矯正する係止爪を有するずれ止め金具を備えることを第２の特徴とする。【０００８】  視界窓架設用構枠の下端には、視界窓枠の下端を受け保持するためのＬ型アングルが設けられていて、荷役作業時の安全対策として透視窓を同構枠に仮固定するための固定金具が複数箇所接合されて、またさらに、長区間吊り荷移動することによる透明窓脱落防止用の透視窓逸脱防止の透視窓押さえプレートが取付けられる。
【考案の効果】
【０００９】  本考案によれば、以下の利点がある。
（１）狭小な作業空間でも容易に透視窓を架設することができ、省力化が図れる。また、仮固定用に固定金具、透視窓押えプレートによって保持しているので、懸吊移動時に確実に逸脱防止でき、安全に作業することができる。
（２）視界窓架設用構枠には、縦長用構枠及び横長用構枠があるので、様々な視界窓の形状に対応することができる。
【図面の簡単な説明】
【００１０】
【図１】本考案に係る透視窓架設用構枠の使用状態を示す斜視図である。
【図２】図１に記載した透視窓架設用構枠の（ａ）は背面図、（ｂ）は左側面である。
【図３】図１に記載した透視窓架設用構枠の（ａ）は正面図、（ｂ）は（ａ）のＣ部の一部拡大図である。
【図４】図２に記載した透視窓架設用構枠の（ａ）はＡ部の一部拡大図、（ｂ）はＣ部の一部拡大図、（ｃ）は図３（ａ）のＤ−Ｄ線の一部断面図である。
【図５】本考案に係る透視窓架設用構枠の他の使用状態を示す斜視図である。
【考案を実施するための形態】
【実施例】
【００１１】  以下、図面に示す実施例に基づいて本考案の実施の形態について説明する。
本考案に係る透視窓架設用構枠１に透視窓Ａを仮固定する状態を説明するが、便宜上、同様の構成要素には同一の参照符号を付して説明する。
透視窓架設用構枠１は、例えば、図１に示すように、平行に配置される一対の構枠縦鋼材２、受梁鋼材３及び繋鋼材（Ｌ型鋼）４により概ね構成され、矩形梯子状に形成されている。透視窓Ａに当該透視窓架設用構枠１を嵌め込み、仮固定ボルト１０で透視窓Ａの窓枠Ａ５に数カ所立設された高ナットＡ１にボルト１０を螺合させて仮固定金具６を固定する。また、透視窓架設用構枠１の下端の受梁鋼材３の受座面３１に透視窓Ａの底面Ａ３を載置する。さらに、透視窓Ａが横ずれしないように、係止爪７１を有するずれ止め金具７で透視窓Ａの縦辺Ａ５を挟み込みボルト・ナット１１で締結する。【００１２】  本考案の透視窓架設用構枠１を透視窓Ａに取付ける際には、透視窓Ａの凸面側を上面にして倒伏させた状態にしておき、透視窓架設用構枠１に接合されている受梁鋼材３が下側になるように被せる。透視窓Ａの底面Ａ３が受座面３１の上面に接していることを確認した後、左右位置を微調整しながら仮固定ボルト１０及び、ずれ止め金具７で挟み込みボルト・ナット１１で締結する。【００１３】  、透視窓架設用構枠１に仮固定された透視窓Ａは、透視窓架設用構枠１上端両側に接合された吊り金具１２にロープやワイヤーロープ等の懸吊材Ｂで吊荷されて、防潮壁の開口部Ｗまで移動し、先ず、開口部Ｗ下辺の位置に透視窓Ａの底辺Ａ４を当接させて嵌め込み、透視窓架設用構枠１を起立さて開口部Ｗに設置して堤防又は防潮壁に固定する。【００１４】  図２に示すように、本考案の透視窓架設用構枠１は、一対の構枠縦鋼材２を両側に配置し、さらに、その上方及び中間位置に押さえ鋼となる繋鋼材（Ｌ型鋼）４及び５（平鋼）を配置している。勿論、構枠縦鋼材２及び横方向の繋鋼材（Ｌ型鋼）４及び５（平鋼）は透視窓Ａの寸法に応じて増設することができる。また、各鋼材は溶接により接合されているが、ボルト・ナット１１による締結も可能である。【００１５】  図３に示すように、構枠縦鋼材２には、その上端に吊り金具１２が接合されていて、その下方にずれ止め金具７が取付けられている。ずれ止め金具７には横長の長孔８が開けられていて、透視窓Ａの幅に応じて微調整可能とされている。長孔８に挿通したボルト・ナット１１を軸としてずれ止め金具７が回転しないように回転防止金具９が接合されている。これらの金具も透視窓Ａの寸法に応じて増設することができる。【００１６】  図４は横型の透視窓架設用構枠１であり、構枠縦鋼材２の下方には長孔８が開口されて、仮固定ボルト１０を貫通させて透視窓Ａに接合された高ナットＡ１にねじ込み仮固定する。また、上部横方向には繋鋼材４が接合されていて、同様に長孔８が開口されていて仮固定ボルト１０を貫通させて透視窓Ａに接合されて高ナットＡ１にねじ込まれて仮固定する。中間の連繋は、繋鋼材（平鋼）５を交差して接合し、透視窓架設用構枠１の補強を図っている。【００１７】  尚、本考案に係る透視窓架設用構枠は、上記の実施例に限定されるものではなく、各構成内容については、使用状況や使用目的によって適宜変更することができる。
【符号の説明】
【００１８】１    透視窓取付用構枠
２    構枠縦鋼材
３    受梁鋼材
３１  受座面
４    繋鋼材（Ｌ型鋼）
５    繋鋼材（平鋼）
６    仮固定金具
７    ずれ止め金具
７１  係止爪
８    長孔
９    回転防止金具
１０  仮固定ボルト
１１  ボルト・ナット
１２  吊り金具
Ａ    透視窓
Ａ１  高ナット
Ａ２  窓側面
Ａ３  窓底面
Ａ４  窓底辺
Ａ５  窓縦辺
Ｂ    懸吊材
【図１】
0003212195.tif 000003
【図２】
0003212195.tif 000004
【図３】
0003212195.tif 000005
【図４】
0003212195.tif 000006
【図５】
0003212195.tif 000007